【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
第１流動デバイスと第２流動デバイスとを含むプローブと、
前記プローブの下流に配置されている燃焼源とを含むイオン源。
【請求項２】
請求項１に記載のイオン源であって、少なくとも一部の、または実質的に全部の前記第２流動デバイスが、少なくとも一部の、または実質的に全部の前記第１流動デバイスを囲むか、包むか、または取り囲むイオン源。
【請求項３】
請求項１または２に記載のイオン源であって、前記第１流動デバイスおよび前記第２流動デバイスが、同軸であるか、または実質的に同軸であるイオン源。
【請求項４】
請求項１、２または３に記載のイオン源であって、前記第１流動デバイスおよび／または前記第２流動デバイスが、１またはそれ以上の毛管または管を含むイオン源。
【請求項５】
先行する請求項のいずれかに記載のイオン源であって、被分析物の溶液または液体または流れが、使用時に、前記第１流動デバイスおよび／または前記第２流動デバイスに供給されるイオン源。
【請求項６】
請求項５に記載のイオン源であって、前記被分析物の溶液または液体または流れが、（ｉ）＜１μｌ／分；（ｉｉ）１−１０μｌ／分；（ｉｉｉ）１０−５０μｌ／分；（ｉｖ）５０−１００μｌ／分；（ｖ）１００−２００μｌ／分；（ｖｉ）２００−３００μｌ／分；（ｖｉｉ）３００−４００μｌ／分；（ｖｉｉｉ）４００−５００μｌ／分；（ｉｘ）５００−６００μｌ／分；（ｘ）６００−７００μｌ／分；（ｘｉ）７００−８００μｌ／分；（ｘｉｉ）８００−９００μｌ／分；（ｘｉｉｉ）９００−１０００μｌ／分；および（ｘｉｖ）＞１０００μｌ／分からなる群から選択される流速で、使用時に、前記第１流動デバイスおよび／または前記第２流動デバイスに供給されるイオン源。
【請求項７】
先行する請求項のいずれかに記載のイオン源であって、第１のガスまたは蒸気が、使用時に、前記第１流動デバイスおよび／または前記第２流動デバイスに供給されるイオン源。
【請求項８】
請求項７に記載のイオン源であって、前記第１のガスまたは蒸気が、可燃性であり、かつ／または、被分析物の溶液または液体または流れの噴霧を助けるイオン源。
【請求項９】
請求項７または８に記載のイオン源であって、前記第１のガスまたは蒸気が、（ｉ）アセトン；（ｉｉ）アセチレン；（ｉｉｉ）ベンゼン；（ｉｖ）ブタン；（ｖ）ブチルアルコール（ブタノール）；（ｖｉ）ジエチルエーテル；（ｖｉｉ）エタン；（ｖｉｉｉ）エチルアルコール（エタノール）；（ｉｘ）エチレン；（ｘ）エチレンオキシド；（ｘｉ）ヘキサン；（ｘｉｉ）水素；（ｘｉｉｉ）イソプロピルアルコール（イソプロパノール）；（ｘｉｖ）メタン；（ｘｖ）メチルアルコール（メタノール）；（ｘｖｉ）メチルエチルケトン；（ｘｖｉｉ）ｎ−ペンタン；（ｘｖｉｉｉ）プロパン；（ｘｉｘ）プロピレン；（ｘｘ）スチレン；（ｘｘｉ）トルエン；（ｘｘｉｉ）キシレン；（ｘｘｉｉｉ）一酸化炭素；（ｘｘｉｖ）飽和炭化水素；（ｘｘｖ）不飽和炭化水素；（ｘｘｖｉ）アルコール；（ｘｘｖｉｉ）エステル；（ｘｘｖｉｉｉ）エーテル；（ｘｘｉｘ）炭化水素；（ｘｘｘ）ガソリン；（ｘｘｘｉ）ジェット燃料；（ｘｘｘｉｉ）ナフサ；（ｘｘｘｉｉｉ）テレビン油；（ｘｘｘｉｖ）環式化合物；（ｘｘｘｖ）ケトン；（ｘｘｘｖｉ）無機ガス；（ｘｘｘｖｉｉ）有機ガス；（ｘｘｘｖｉｉｉ）硫化水素；（ｘｘｘｉｘ）アンモニア；（ｘｘｘｘ）プロパノール；（ｘｘｘｘｉ）酢酸エチル；（ｘｘｘｘｉｉ）ヘプタン；および（ｘｘｘｘｉｉｉ）エクスレンからなる群から選択される１またはそれ以上のガスまたは蒸気を含むイオン源。
【請求項１０】
請求項７または８に記載のイオン源であって、前記第１のガスが、燃焼を持続させるイオン源。
【請求項１１】
請求項７〜１０のいずれかに記載のイオン源であって、前記第１のガスまたは蒸気が、（ｉ）＜１ｂａｒ；（ｉｉ）１−２ｂａｒ；（ｉｉｉ）２−３ｂａｒ；（ｉｖ）３−４ｂａｒ；（ｖ）４−５ｂａｒ；（ｖｉ）５−６ｂａｒ；（ｖｉｉ）６−７ｂａｒ；（ｖｉｉｉ）７−８ｂａｒ；（ｉｘ）８−９ｂａｒ；（ｘ）９−１０ｂａｒ；および（ｘｉ）＞１０ｂａｒからなる群から選択される圧力で、使用時に、前記第１流動デバイスおよび／または前記第２流動デバイスに供給されるイオン源。
【請求項１２】
請求項７〜１１のいずれかに記載のイオン源であって、前記第１のガスまたは蒸気が、前記燃焼源による第２のガスもしくは蒸気の燃焼を強めるか、または燃焼されて、小滴の脱溶媒和を助けるとき、熱を供給するイオン源。
【請求項１３】
先行する請求項のいずれかに記載のイオン源であって、前記燃焼源が、（ｉ）青炎トーチ；（ｉｉ）ガス・トーチ；および（ｉｉｉ）ブロー・トーチからなる群から選択されるイオン源。
【請求項１４】
先行する請求項のいずれかに記載のイオン源であって、前記燃焼源が、第２のガスまたは蒸気を燃焼させるように配置されているイオン源。
【請求項１５】
請求項１４に記載のイオン源であって、前記燃焼源が、前記第２のガスまたは蒸気を直接に供給されているイオン源。
【請求項１６】
請求項１４または１５に記載のイオン源であって、前記第２のガスまたは蒸気が、（ｉ）アセトン；（ｉｉ）アセチレン；（ｉｉｉ）ベンゼン；（ｉｖ）ブタン；（ｖ）ブチルアルコール（ブタノール）；（ｖｉ）ジエチルエーテル；（ｖｉｉ）エタン；（ｖｉｉｉ）エチルアルコール（エタノール）；（ｉｘ）エチレン；（ｘ）エチレンオキシド；（ｘｉ）ヘキサン；（ｘｉｉ）水素；（ｘｉｉｉ）イソプロピルアルコール（イソプロパノール）；（ｘｉｖ）メタン；（ｘｖ）メチルアルコール（メタノール）；（ｘｖｉ）メチルエチルケトン；（ｘｖｉｉ）ｎ−ペンタン；（ｘｖｉｉｉ）プロパン；（ｘｉｘ）プロピレン；（ｘｘ）スチレン；（ｘｘｉ）トルエン；（ｘｘｉｉ）キシレン；（ｘｘｉｉｉ）一酸化炭素；（ｘｘｉｖ）飽和炭化水素；（ｘｘｖ）不飽和炭化水素；（ｘｘｖｉ）アルコール；（ｘｘｖｉｉ）エステル；（ｘｘｖｉｉｉ）エーテル；（ｘｘｉｘ）炭化水素；（ｘｘｘ）ガソリン；（ｘｘｘｉ）ジェット燃料；（ｘｘｘｉｉ）ナフサ；（ｘｘｘｉｉｉ）テレビン油；（ｘｘｘｉｖ）環式化合物；（ｘｘｘｖ）ケトン；（ｘｘｘｖｉ）無機ガス；（ｘｘｘｖｉｉ）有機ガス；（ｘｘｘｖｉｉｉ）硫化水素；（ｘｘｘｉｘ）アンモニア；（ｘｘｘｘ）プロパノール；（ｘｘｘｘｉ）酢酸エチル；（ｘｘｘｘｉｉ）ヘプタン；および（ｘｘｘｘｉｉｉ）エクスレンからなる群から選択される１またはそれ以上のガスまたは蒸気を含むイオン源。
【請求項１７】
先行する請求項のいずれかに記載のイオン源であって、前記プローブが、第１長手方向軸を有し、前記燃焼源が、第２長手方向軸を有し、前記第１長手方向軸と前記第２長手方向軸との間の角度が、（ｉ）０−１０°；（ｉｉ）１０−２０°；（ｉｉｉ）２０−３０°；（ｉｖ）３０−４０°；（ｖ）４０−５０°；（ｖｉ）５０−６０°；（ｖｉｉ）６０−７０°；（ｖｉｉｉ）７０−８０°；（ｉｘ）８０−９０°；（ｘ）８５−９５°；（ｘｉ）９０−１００°；（ｘｉｉ）１００−１１０°；（ｘｉｉｉ）１１０°−１２０°；（ｘｉｖ）１２０−１３０°；（ｘｖ）１３０−１４０°；（ｘｖｉ）１４０−１５０°；（ｘｖｉｉ）１５０−１６０°；（ｘｖｉｉｉ）１６０−１７０°；および（ｘｉｘ）１７０−１８０°からなる群から選択されるイオン源。
【請求項１８】
先行する請求項のいずれかに記載のイオン源であって、前記プローブと前記燃焼源とを取り囲むための囲いをさらに含み、前記囲いが、ガス吸気ポートとガス排気ポートとを含むイオン源。
【請求項１９】
請求項１８に記載のイオン源であって、バックグラウンドガスが、使用時に、前記囲いへ、前記ガス吸気ポートを経て導入されるイオン源。
【請求項２０】
請求項１８または１９に記載のイオン源であって、前記囲いが、（ｉ）＜１００ｍｂａｒ；（ｉｉ）１００−５００ｍｂａｒ；（ｉｉｉ）５００−６００ｍｂａｒ；（ｉｖ）６００−７００ｍｂａｒ；（ｖ）７００−８００ｍｂａｒ；（ｖｉ）８００−９００ｍｂａｒ；（ｖｉｉ）９００−１０００ｍｂａｒ；（ｖｉｉｉ）１０００−１１００ｍｂａｒ；（ｉｘ）１１００−１２００ｍｂａｒ；（ｘ）１２００−１３００ｍｂａｒ；（ｘｉ）１３００−１４００ｍｂａｒ；（ｘｉｉ）１４００−１５００ｍｂａｒ；（ｘｉｉｉ）１５００−２０００ｍｂａｒ；および（ｘｉｖ）＞２０００ｍｂａｒからなる群から選択される圧力で、使用時に維持されるイオン源。
【請求項２１】
先行する請求項のいずれかに記載のイオン源であって、前記イオン源が、エレクトロスプレーイオン源を含むイオン源。
【請求項２２】
先行する請求項のいずれかに記載のイオン源であって、前記第１流動デバイスおよび／または前記第２流動デバイスが、（ｉ）＜±１ｋＶ；（ｉｉ）±１−２ｋＶ；（ｉｉｉ）±２−３ｋＶ；（ｉｖ）±３−４ｋＶ；（ｖ）±４−５ｋＶ；（ｖｉ）±５−６ｋＶ；（ｖｉｉ）±６−７ｋＶ；（ｖｉｉｉ）±７−８ｋＶ；（ｉｘ）±８−９ｋＶ；（ｘ）±９−１０ｋＶ；および（ｘｉ）＞±１０ｋＶの電圧または相対電位で、使用時に維持されるイオン源。
【請求項２３】
請求項１〜２０のいずれかに記載のイオン源であって、前記イオン源が、大気圧化学イオン化イオン源を含むイオン源。
【請求項２４】
請求項２３に記載のイオン源であって、前記イオン源が、前記燃焼源の下流に配置されるコロナ放電装置を含むイオン源。
【請求項２５】
請求項２４に記載のイオン源であって、操作のモードにおいて、（ｉ）＜０．１μＡ；（ｉｉ）０．１−０．２μＡ；（ｉｉｉ）０．２−０．３μＡ；（ｉｖ）０．３−０．４μＡ；（ｖ）０．４−０．５μＡ；（ｖｉ）０．５−０．６μＡ；（ｖｉｉ）０．６−０．７μＡ；（ｖｉｉｉ）０．７−０．８μＡ；（ｉｘ）０．８−０．９μＡ；（ｘ）０．９−１．０μＡ；および（ｘｉ）＞１μＡからなる群から選択される電流が、前記コロナ放電装置に印可されるイオン源。
【請求項２６】
請求項２４または２５に記載のイオン源であって、操作のモードにおいて、（ｉ）＜±１ｋＶ；（ｉｉ）±１−２ｋＶ；（ｉｉｉ）±２−３ｋＶ；（ｉｖ）±３−４ｋＶ；（ｖ）±４−５ｋＶ；（ｖｉ）±５−６ｋＶ；（ｖｉｉ）±６−７ｋＶ；（ｖｉｉｉ）±７−８ｋＶ；（ｉｘ）±８−９ｋＶ；（ｘ）±９−１０ｋＶ；および（ｘｉ）＞±１０ｋＶからなる群から選択される電圧が、前記コロナ放電装置に印可されるか、または、（ｉ）＜±１ｋＶ；（ｉｉ）±１−２ｋＶ；（ｉｉｉ）±２−３ｋＶ；（ｉｖ）±３−４ｋＶ；（ｖ）±４−５ｋＶ；（ｖｉ）±５−６ｋＶ；（ｖｉｉ）±６−７ｋＶ；（ｖｉｉｉ）±７−８ｋＶ；（ｉｘ）±８−９ｋＶ；（ｘ）±９−１０ｋＶ；および（ｘｉ）＞±１０ｋＶからなる群から選択される相対電位で、前記コロナ放電装置が、維持されるイオン源。
【請求項２７】
先行する請求項のいずれかに記載のイオン源であって、前記第１流動デバイスおよび／または前記第２流動デバイスが、使用時に、（ｉ）±０−１００Ｖ；（ｉｉ）±１００−２００Ｖ；（ｉｉｉ）±２００−３００Ｖ；（ｉｖ）±３００−４００Ｖ；（ｖ）±４００−５００Ｖ；（ｖｉ）±５００−６００Ｖ；（ｖｉｉ）±６００−７００Ｖ；（ｖｉｉｉ）±７００−８００Ｖ；（ｉｘ）±８００−９００Ｖ；（ｘ）±９００−１０００Ｖ；および（ｘｉ）＞±１０００Ｖからなる群から選択される電圧または相対電位で、維持されるイオン源。
【請求項２８】
先行する請求項のいずれかに記載のイオン源を含む質量分析計であり、
前記質量分析計が、
（ｉ）直交加速飛行時間質量分析器；（ｉｉ）軸加速飛行時間質量分析器；（ｉｉｉ）四重極質量分析器；（ｉｖ）ペニング質量分析器；（ｖ）フーリエ変換イオンサイクロトロン共鳴（「ＦＴＩＣＲ」）質量分析器；（ｖｉ）２Ｄまたは線形の四重極イオントラップ；（ｖｉｉ）ポールまたは３Ｄの四重極イオントラップ；および（ｖｉｉｉ）磁場型質量分析計からなる群から選択される質量分析器を更に含む質量分析計。
【請求項２９】
請求項２８に記載の質量分析計であって、前記燃焼源の下流に配置された、イオンサンプリング円錐体またはイオンサンプリングオリフィスをさらに含む質量分析計。
【請求項３０】
請求項２９に記載の質量分析計であって、前記イオンサンプリング円錐体または前記イオンサンプリングオリフィスに向かって、少なくとも幾つかのイオンを、そらす、ひきつける、方向づける、またははねつけるように、前記イオンサンプリング円錐体または前記イオンサンプリングオリフィスに対して向かい合って、または隣接して配置された、１またはそれ以上の電極をさらに含む質量分析計。
【請求項３１】
請求項２８〜３０のいずれかに記載の質量分析計であって、前記イオン源が、使用時に、液体クロマトグラフまたはガスクロマトグラフに接続されている質量分析計。
【請求項３２】
第１流動デバイスと第２流動デバイスとを含むプローブと、
前記プローブの下流に配置されている燃焼源とを含むエレクトロスプレーイオン化イオン源。
【請求項３３】
第１流動デバイスと第２流動デバイスとを含むプローブと、
前記プローブの下流に配置されている燃焼源とを含む大気圧化学イオン化イオン源。
【請求項３４】
サンプルをイオン化する方法であって、
前記方法が、
第１流動デバイスと第２流動デバイスとを含むプローブを準備し、
前記流動デバイスのひとつにサンプルを供給し、
第１のガスまたは蒸気を、別の前記流動デバイスに供給し、
前記プローブの下流に配置されている前記燃焼源を用いて、前記第１のガスまたは蒸気を燃焼させることを含む方法。
【請求項３５】
請求項３４に記載のサンプルをイオン化する方法を含む質量分析の方法。